(57)【要約】      （修正有）【課題】伝送線路の制限をなくし、医療、住宅の修理、輸送機関の修理、機械の修理及び研究観察等領域の応用、探査に迅速且つ便利に利用出来る無線内視鏡装置を提供する。【解決手段】無線内視鏡装置は、主に内視鏡主体１０及びサーバーホストの二個の部分を含み、主に内視鏡主体の信号発生器１２でキャプチャーした映像を無線伝送の方式でサーバーホストへ伝送する。続いてサーバーホストのディスプレイからピックアップレンズ１１でキャプチャーした映像を表示する。【選択図】図１
0003164333.tif 000002
【実用新案登録請求の範囲】
【請求項１】
ピックアップレンズ、信号発生器を設置し、電池を納置する空間を形成した内視鏡主体と、
ディスプレイ及び信号受信器を設置し、その内部には関連のビデオ処理ファームウエアがあるサーバーホストから構成された無線内視鏡装置において、
該内視鏡主体の信号発生器はキャプチャーした映像を無線伝送の方式で該サーバーホストへ伝送し、次にサーバーホストのディスプレイでピックアップレンズがキャプチャーした映像を映し出すことを特徴とする無線内視鏡装置。
【請求項２】
前記ピックアップレンズは、フレキシブル・コードを備えて該信号発生器と連接し、該フレキシブル・コード末端は感光部品を設置し、及び該フレキシブル・コードの内部には光ファイバーを設置することを特徴とする請求項１記載の無線内視鏡装置。
【請求項３】
前記内視鏡主体は、電気コネクターを設置して納置した電池と電気連接し、該サーバーホストは充電ポートを設置して該内視鏡主体の電気コネクターと電気連接することを特徴とする請求項１もしくは２記載の無線内視鏡装置。
【請求項４】
前記サーバーホストは、更に支持桿を設置し、該支持桿は該サーバーホストの背面に設置することを特徴とする請求項１、２もしくは３記載の無線内視鏡装置。
【考案の詳細な説明】
【技術分野】
【０００１】
本考案は、内視鏡装置に関するもので、特に伝送線路の制限を受けることなく、応用、探査面に於いて更に迅速且つ便利に使用できる無線内視鏡装置に係わる。
【背景技術】
【０００２】
一般の内視鏡装置は一本の細長い湾曲管で、主に撮影装置及び光源から構成され、ディスプレイに接続した後、身体器官、輸送機関内部、電子装置中の部品及び建築物のヒビが入った構造を湾曲管に接続したモニター上に表示し、それを医師、建築師、電子エンジニア、機械構造エンジニア及び技師がモニター上の映像を見て受検者の疾病及び受検物内部の問題を診断する。
【０００３】
しかしながら、内視鏡撮影装置の技術は日進月歩で、その応用は益々広がっている。一般の伝統的な内視鏡の多くは、撮影装置が湾曲管を通してディスプレイと接続する有線の内視鏡撮影装置である。そのうちの湾曲管内には光ファイバーが含まれ、ルミネッセンスを光ファイバーから別の管の別端へ伝送する。
【０００４】
使用時、湾曲管を検査が必要な部位に伸ばし入れ、ルミネッセンス源から伝送されたルミネッセンスが当該部位を照らす。その後、湾曲管の末端に嵌合された感光部品、撮影装置が当該部位の映像を鮮明にキャプチャーし、湾曲管を通して信号をディスプレイに戻し、撮影装置がキャプチャーした映像を映しだす。
【考案の概要】
【考案が解決しようとする課題】
【０００５】
解決しようとする問題点は、伝統的な有線の内視鏡撮影装置には湾曲管の長さの制限があり、遠くや複雑な地形、形状、複雑な物体では湾曲管が通り抜けることができず、使用状況及び使用距離上で大きな制限を受ける点である。
【課題を解決するための手段】
【０００６】
本考案は、主に内視鏡主体及びサーバーホストの二個の部分を含み、主に内視鏡主体の信号発生器でキャプチャーした映像を無線伝送の方式でサーバーホストへ伝送する。続いてサーバーホストのディスプレイからピックアップレンズでキャプチャーした映像を表示することを主要な特徴とする。
【考案の効果】
【０００７】
本考案の無線内視鏡装置は、伝送線路の制限をなくし、医療、住宅の修理、輸送機関の修理、機械の修理及び研究観察等領域の応用、探査に迅速且つ便利に利用出来るという利点がある。
【図面の簡単な説明】
【０００８】
【図１】本考案の第一実施例の内視鏡主体の構造指示図である。
【図２】本考案の第一実施例のサーバーホスト外観構造図である。
【図３】本考案の第一実施例の無線内視鏡装置外観構造図である。
【図４】本考案の第二実施例の無線内視鏡装置外観構造図である。
【図５】本考案の無線内視鏡装置運作機能指示図である。
【考案を実施するための形態】
【０００９】
これらにより、伝送線路の制限をなくし更に応用、探査方面で更に迅速、便利に使用できる無線内視鏡装置を提供することを本考案の主な目的とする。
【００１０】
上述の目的を達成するため、本考案の無線内視鏡装置は、主に内視鏡主体及び一サーバーホストを含む。そのうち、該内視鏡主体はピックアップレンズ、信号発生器を設置して電池を納置する。該サーバーホストにはディスプレイ、信号受信器を設置し、更に関連のビデオ処理ファームウエアがあり、内臓電池もしくは外付け電源の方式で使用する。
【００１１】
使用時、内視鏡主体の信号発生器からピックアップレンズキャプチャーした映像を無線伝送の方式でサーバーホストへ伝送する。続いてサーバーホストのディスプレイからピックアップレンズキャプチャーした映像を表示する。これらによって、伝送線路の制限がなくなり、医療、住宅の修理、輸送機関の修理、機械の修理及び研究観察等領域の応用、探査方面で迅速且つ便利に使用できる。
【実施例】
【００１２】
本考案の無線内視鏡装置は、図１及び図２に示すとおり、内視鏡主体１０，及び一サーバーホスト２０を含む。そのうち、
【００１３】
該内視鏡主体１０はピックアップレンズ１１、信号発生器１２を設置し、更に電池３０を納置する空間を形成する。該ピックアップレンズ１１はフレキシブル・コード１１１を備え、該信号発生器１２と連接し、該フレキシブル・コード１１１末端には感光部品(CCDもしくはCMOS)を設置し、該フレキシブル・コード１１１内部には光ファイバーを設置し、信号発生器１２に設置された光源(例として白光LED)をフレキシブル・コード１１１末端へ伝送し、感光部品に依る光源を提供する。
【００１４】
該サーバーホスト２０はディスプレイ２１及び信号受信器２２を設置し、その内部には関連のビデオ処理ファームウエアがある。実施時、該サーバーホスト２０は内臓電池もしくは外付け電源の方式で使用する。
【００１５】
更に、該内視鏡主体１０に納置する電池３０は、重複充電使用できる充電電池で、該内視鏡主体１０に設置した電気コネクター１３が納置した電池３０と電気連接する。他に該サーバーホスト２０は図３に示すとおり、更に充電ポート２２を設置して該内視鏡主体１０の電気コネクター１３と電気連接し、該充電ポート２２と内視鏡主体の電気コネクター１３間は更に電気連接コード４０で連接し、該サーバーホスト２０を通して直接、内視鏡主体１０に納置した電池３０に対して充電を行なう。更に、該サーバーホスト２０背面には更に支持桿２４を設置し、該支持桿２４一端は該サーバーホスト２０箇所に枢設して３６０度回転を形成し、別端は使用面上に定位して支持する。勿論、該充電ポート２２はUSBポートでもよく、且つ該充電ポート２２は図３に示すようにサーバーホスト２０の側面に設置してもよく、また図４のように、該サーバーホスト２０の後方に伸びた台座２５上に設置してもよい。
【００１６】
同時に図５に示すとおり、本考案の無線内視鏡装置は使用する時、内視鏡主体１０の信号発生器１２からピックアップレンズ１１がキャプチャーした映像を無線伝送の方式によって該サーバーホスト２０へ伝送する。続いて該サーバーホスト２１のディスプレイ２１からピックアップレンズ１１がキャプチャーした映像を表示する。該サーバーホスト２１は可透過コントロールボタン２３もしくは觸控モニターの操作によって、静止画、画面分割、局部拡大、画面移動、閲覧、他には画面を保存する機能を備える。
【００１７】
本考案は無線伝送方式を採用して内視鏡主体１０がキャプチャーした映像信号をサーバーホスト２０のディスプレイ２１に伝送して表示するのに、伝送線路の制限を受けず、医療、住宅の修理、輸送機関の修理、機械の修理及び研究観察等領域の応用、探査が更に迅速且つ便利になる。
【００１８】
上述のとおり、本考案は実施可能な無線内視鏡装置を提供し、法に基づき実用新案登録を申請する。本考案の技術内容及び技術特徴は上に示したとおりであるが、本考案の領域に習熟した者が本考案の掲示に基づいて、本考案の精神から乖離しない入替及び修飾を行うかもしれない。拠って、本考案の保護範囲は実施例に制限されず、各種の本考案から乖離しない入替及び修飾を含んで以下の請求範囲とする。
【符号の説明】
【００１９】
１０        内視鏡主体
１１        ピックアップレンズ
１１１        フレキシブル・コード
１２        信号発生器
１３        電気コネクター
２０        サーバーホスト
２１        ディスプレイ
２２        充電ポート
２３        コントロールボタン
２４        支持桿
２５        台座
３０        電池
４０        電気連接コード
【図１】
0003164333.tif 000003
【図２】
0003164333.tif 000004
【図３】
0003164333.tif 000005
【図４】
0003164333.tif 000006
【図５】
0003164333.tif 000007